(57)【要約】【課題】吐水ヘッドを水栓本体に着脱容易な構造にて接続する。【解決手段】吐水ヘッド１０６は水栓本体部１１２に着脱可能に取り付けられる。水栓本体部１１２の回転部１０４は、支柱部１０８に回転可能に取り付けられ、かつ、径方向に突出する継手管１１８を有する。吐水ヘッド１０６は、継手管１１８を収容することにより、水栓本体部１１２に取り付けられる。吐水ヘッド１０６が水栓本体部１１２に取り付けられるとき、吐水ヘッド１０６の端部は回転部１０４の外周面と当接する。吐水ヘッド１０６の外殻において周方向に延伸する差込口１２２から挿入される留め具１２０によって継手管１１８を把持する。【選択図】図２
2018035673.tif 000002
【特許請求の範囲】
【請求項１】
水栓本体部と、前記水栓本体部に着脱可能に取り付けられる吐水ヘッドと、を備え、
前記水栓本体部は、
通水部を有する支柱部と、
前記支柱部の径方向に突出する継手管と、を有し、
前記吐水ヘッドは、前記継手管を収容した状態で、前記水栓本体部に取り付けられることを特徴とする水栓。
【請求項２】
前記吐水ヘッドは留め具により前記継手管に固定されることを特徴とする請求項１または１に記載の水栓。
【請求項３】
前記吐水ヘッドの下部に周方向に延出する差込口が形成され、前記差込口に前記留め具を挿入することを特徴とする請求項２に記載の水栓。
【請求項４】
水栓本体部に着脱可能に取り付けられる吐水ヘッドであって、前記水栓本体部から突出する継手管を収容するよう前記水栓本体部に接続されることを特徴とする吐水ヘッド。
【請求項５】
前記吐水ヘッドは留め具により前記継手管に固定されることを特徴とする請求項１または４に記載の吐水ヘッド。
【請求項６】
前記吐水ヘッドの下部に周方向に延出する差込口が形成され、前記差込口に前記留め具を挿入することを特徴とする請求項５に記載の吐水ヘッド。
【発明の詳細な説明】
【技術分野】
【０００１】
本発明は、水栓、特に、吐水ヘッドの接続構造に関する。
【背景技術】
【０００２】
購入時には浄水機能を持たない水栓を選んだものの、ユーザはあとで浄水機能を欲しくなることがある。市販されている浄水器の多くは吐水口付近に追加的に設置されるが、このタイプの浄水器は台所の美観を損なうため敬遠されることも多い。
【０００３】
浄水機能を持たない吐水ヘッド（水栓の先端部分）を浄水機能付きの吐水ヘッドに取り換えてしまうという方法もある（特許文献１，２参照）。しかし、吐水ヘッドの取り換えは、特殊な工具を必要とするものが多く、そのために交換をためらわれることがある。
【先行技術文献】
【特許文献】
【０００４】
【特許文献１】実用新案登録第３１２７９２８号公報
【特許文献２】実開平６−１４２５９号公報
【発明の概要】
【発明が解決しようとする課題】
【０００５】
特許文献１では交換用水栓金具（吐水ヘッド）を水栓本体のフレキシブルホースに専用の接続具を使って接続している。交換用水栓金具を交換するためにはある程度の施工技術が必要になる。
【０００６】
特許文献２は、吐水管（吐水ヘッド）を水栓本体の円筒部（回転軸となる支柱）にそのまま上から差し込むタイプであるため、特許文献１よりも着脱容易である。しかし、接続部分を中心として吐水管が回転するため、接合部分と回転部分が共通しており、接続部分に細かな異物が入り込むと吐水管が回転しづらくなるおそれがある。特に、吐水管を伝わって落ちてきた水が接合部分に溜まりやすく、接合部分に水垢や異物が付着しやすい。
【０００７】
本発明は、上記課題認識に基づいてなされたものであり、その主たる目的は、水栓としての機能性を維持しつつ、吐水ヘッドを水栓本体に着脱容易な構造にて接続するための技術、を提供することにある。
【課題を解決するための手段】
【０００８】
本発明のある態様における水栓は、水栓本体部と、水栓本体部に着脱可能に取り付けられる吐水ヘッドを備える。
水栓本体部は、通水部を有する支柱部と、支柱部に回転可能に取り付けられ、かつ、径方向に突出する継手管を有する回転部を有する。
吐水ヘッドは、継手管を収容した状態で、水栓本体部に取り付けられる。
【０００９】
本発明のある態様における吐水ヘッドは、通水部を有する支柱部と、支柱部に回転可能に取り付けられ、かつ、径方向に突出する継手管を有する回転部と、を有する水栓本体部に接続される。吐水ヘッドの端部は回転部の外周面と当接するまで継手管を収容し、外殻において周方向に延伸する差込口から挿入される留め具によって継手管を把持することにより、水栓本体部に固定される。
【００１０】
本発明の別の態様における吐水ヘッドは、通水部を有する支柱部と、支柱部に回転可能に取り付けられ、かつ、径方向に突出する継手管を有する回転部と、を有する水栓本体部に接続される。吐水ヘッドは、通水路を形成する内管が外殻に挿入される構造を有し、内管が継手管を収容することにより、水栓本体部に接続される。
【００１１】
本発明のある態様における水栓組立方法は、通水部を有する支柱部と、支柱部に回転可能に取り付けられ、かつ、径方向に突出する継手管を有する回転部と、を有する水栓本体部に対して、吐水ヘッドの端部が回転部の外周面と対向するように、吐水ヘッドに継手管を挿入するステップと、吐水ヘッドの外殻において周方向に延伸する差込口から留め具を挿入し、留め具により継手管を把持するステップと、を備える。
【発明の効果】
【００１２】
本発明によれば、水栓としての機能性を維持しやすく、吐水ヘッドを着脱しやすい水栓を実現しやすくなる。
【図面の簡単な説明】
【００１３】
【図１】本実施形態における水栓の側面図である。
【図２】水栓の分解斜視図である。
【図３】吐水ヘッドの下部の外観図である。
【図４】吐水ヘッドの分解斜視図である。
【図５】緩衝部材の周辺の拡大斜視図である。
【図６】本実施形態における接合構造の模式図である。
【図７】比較例における接合構造の模式図である。
【図８】浄水機能のない吐水ヘッドの断面図である。
【図９】吐水ヘッドを水栓本体部に取り付けた水栓の断面図である。
【図１０】浄水機能を有する吐水ヘッドの断面図である。
【図１１】吐水ヘッドを水栓本体部に取り付けた水栓の断面図である。
【発明を実施するための形態】
【００１４】
図１は、本実施形態における水栓１００の側面図である。図２は、水栓１００の分解斜視図である。
本実施形態における水栓１００は、水栓本体部１１２と吐水ヘッド１０６を含む。一般ユーザが着脱可能な構造にて、吐水ヘッド１０６と水栓本体部１１２は接続される。図１に示す吐水ヘッド１０６は浄水機能を持たないタイプである。
【００１５】
水栓本体部１１２は、吐水ハンドル１０２、回転部１０４、支柱部１０８および支柱キャップ１１４を含む。支柱部１０８は、台所などに固定され、通水管１１０（図２参照）を内蔵する。この支柱部１０８を覆うように回転部１０４が設置される。回転部１０４は、支柱部１０８を中心として水平方向に回転する。回転部１０４の上にある支柱キャップ１１４は、支柱部１０８と接続される。支柱キャップ１１４により、回転部１０４は上下に抜けないように位置決めされる。ユーザが支柱キャップ１１４の上にある吐水ハンドル１０２を垂直方向に動かすと、吐水ハンドル１０２は支柱部１０８の操作突起１１６を前後させ、これによって支柱部１０８に内蔵される弁（不図示）が開閉される。
【００１６】
回転部１０４から径方向、好ましくは斜め上方に継手管１１８が突出する。継手管１１８は、通水口１２４を介して通水管１１０と接続される。吐水ヘッド１０６は、この継手管１１８を収容した状態で、回転部１０４に固定される。図１に示すように、吐水ヘッド１０６の端部は回転部１０４の側面部（外周面）と当接する。すなわち、回転部１０４から継手管１１８が分岐する箇所、継手管１１８の根元において、支柱部１０８と回転部１０４が当接する。なお、本実施形態において「当接」とは、２つの部材が直接接触する場合のみならず、中間材（緩衝材など）を介して接触することも含む。
【００１７】
吐水ヘッド１０６の下部には周方向に延伸する差込口１２２が形成されている。吐水ヘッド１０６に継手管１１８を挿入して、吐水ヘッド１０６を回転部１０４に当接させたあと、ユーザは差込口１２２から留め具１２０を挿入する（図３参照）。本実施形態における留め具１２０は、クリップ型で一定の強度と弾力性のある部材（樹脂等）によって形成される。水栓本体部１１２に吐水ヘッド１０６を設置するとき、吐水ヘッド１０６に継手管１１８を収容し、吐水ヘッド１０６を回転部１０４に当接するまで押し込む。次に、差込口１２２から留め具１２０を手で押し込む。留め具１２０が継手管１１８をクリップのように把持（挟持）することで、吐水ヘッド１０６は回転部１０４に固定される。留め具１２０は差込口１２２にぴったりと嵌るため、吐水ヘッド１０６の前後方向Ｘ、径方向Ｙへの動きは、継手管１１８をしっかりと挟む留め具１２０によって規制される（図３参照）。
【００１８】
吐水ヘッド１０６を水栓本体部１１２から外すときには、差込口１２２から覗く留め具１２０をマイナスドライバーなどの工具で引き出せばよい。留め具１２０を外したあとは、吐水ヘッド１０６を手で引っ張れば、吐水ヘッド１０６を水栓本体部１１２から簡単に外すことができる。
【００１９】
図４は、吐水ヘッド１０６の分解斜視図である。
吐水ヘッド１０６は、外殻１２６、内管１２８、吐水口部材１３０、整流部材１３２および緩衝部材１３４を含む。継手管１１８を収容するのは内管１２８である。水道水は通水管１１０から継手管１１８、内管１２８を経由して、吐水口部材１３０に至り、整流部材１３２を通ってシンク（図示せず）に吐水される。通水管１１０に接続され、支柱部１０８に内蔵される弁は、吐水ハンドル１０２および操作突起１１６によって開閉される。
【００２０】
内管１２８は、外殻１２６（外管）によって覆われる。すなわち、吐水ヘッド１０６は、内管１２８と外殻１２６の二重構造となっている。緩衝部材１３４は、内管１２８の端部に接続されるゴム製のスペーサであり、吐水ヘッド１０６の接続時に回転部１０４と当接する。本実施形態においては、吐水ヘッド１０６の外殻１２６は水栓本体部１１２と直接接触することはなく、緩衝部材１３４を介して水栓本体部１１２と当接する。
【００２１】
回転部１０４の回転軸となるのは支柱部１０８であり、吐水ヘッド１０６は支柱部１０８ではなく回転部１０４から分岐する継手管１１８と接続される。このため、回転部１０４が頻繁に回転しても、それが吐水ヘッド１０６と水栓本体部１１２の接続強度に直接的に影響することはない。同様に、吐水ヘッド１０６の着脱も、回転部１０４の回転性に直接的に影響することはない。
【００２２】
継手管１１８が吐水ヘッド１０６によって延長される接続構造であるため、吐水ヘッド１０６を水平方向に回転させると、その回転力がそのまま継手管１１８に伝わるため、ユーザによる回転操作を回転部１０４の回転力として伝えやすい。
【００２３】
図５は、緩衝部材１３４の周辺の拡大斜視図である。
緩衝部材１３４は、外殻１２６の水栓本体部１１２側の端面をカバーする。緩衝部材１３４は、外殻１２６よりは弾性率の高い部材であってもよい。本実施形態における緩衝部材１３４はゴム製である。また、緩衝部材１３４の当接面１３６の当接幅Ｔは、少なくとも外殻１２６の厚みよりも大きい。本実施形態における回転部１０４の側面は曲面形状（円筒形状）を有するが、緩衝部材１３４の当接面１３６も回転部１０４の曲面形状と一致する形状に加工されている。このため、吐水ヘッド１０６と回転部１０４を隙間無く、スムーズな外観にて接続できる。
【００２４】
更に、弾力性のある緩衝部材１３４を介して、吐水ヘッド１０６と回転部１０４を接続するため、吐水ヘッド１０６と水栓本体部１１２をいっそう隙間無く密着させることができる。また、当接幅Ｔを大きくすることで当接面１３６を拡大しているため、接続にともなう圧力が分散されやすく、吐水ヘッド１０６の接続によって回転部１０４に傷が付きにくくなる。
【００２５】
仮に、緩衝部材１３４を設置しない場合には、外殻１２６が回転部１０４と直接当接することになる。この場合にも、外殻１２６の当接面を拡大することで、たとえば、当接面において外殻１２６を肉厚にすることで接続にともなう圧力を小さくしてもよい。なお、外殻１２６と回転部１０４の間に目立たない程度の隙間、たとえば、０．１〜０．６ミリメートル程度の隙間を設けた上で、外殻１２６と回転部１０４を対向させてもよい。
【００２６】
図６は、本実施形態における接合構造の模式図である。
本実施例においては、回転部１０４の一部として継手管１１８を設け、これを吐水ヘッド１０６が収容することで吐水ヘッド１０６と水栓本体部１１２を接続している。吐水ヘッド１０６と回転部１０４の境界面１０５は、継手管１１８の根元に形成される。
【００２７】
図７は、比較例における接合構造の模式図である。
図７は、回転部１３８ではなく、吐水ヘッド１４０に継手管１４２を設けるタイプを示す比較例である。回転部１３８の側面には斜め上方に分岐部１４６が形成される。吐水ヘッド１４０の一部としての継手管１４２を分岐部１４６に収容することで吐水ヘッド１４０と回転部１３８を接続している。吐水ヘッド１４０と分岐部１４６の境界面１４４は、分岐部１４６の先端に形成される。
【００２８】
本実施形態の場合、継手管１１８を吐水ヘッド１０６で覆う接続方式であるため、吐水ヘッド１０６の内外径に実質的な制約がない。吐水ヘッド１０６の内管１２８は、その内径を継手管１１８の外径と一致させる必要があるが、内管１２８を収容する外殻１２６の内外径は比較的自由に設計できる。一方、比較例の場合、吐水ヘッド１４０の外径を分岐部１４６の外径に合わせなければ境界面１４４に段差ができてしまう。このため、吐水ヘッド１４０の外径は、分岐部１４６の外径に規制される。
【００２９】
また、継手管１１８を吐水ヘッド１０６で収容する場合、回転部１０４の表面を境界面１０５にできるため、比較例に比べて境界面１０５が目立たないというメリットもある。また、比較例のような接続構造の場合には境界面１４４が目立つため、ユーザは吐水ヘッド１４０を引っ張ることでホースを引き出せるタイプの水栓と誤解してしまう可能性も考えられる。
【００３０】
比較例の場合、境界面１４４に隙間ができると埃などの異物が分岐部１４６の中に入り込みやすい。これに対して、本実施形態の境界面１０５に異物が入りこんでもそれが継手管１１８や吐水ヘッド１０６の中にまで入り込む可能性はほとんどない。吐水ヘッド１０６が斜め上方に延びるためである。
【００３１】
更に、比較例における継手管１４２は、吐水ヘッド１４０の突起となっている。このため、吐水ヘッド１４０の突起部分（継手管１４２）が回転部１３８の側面等に不意に接触することで水栓本体部を傷つけてしまうリスクがある。
【００３２】
本実施形態の場合、継手管１１８の長さに多少のばらつきがあっても、吐水ヘッド１０６への継手管１１８の挿入深度を調整することで長さのばらつきを吸収しやすい。これに対して、比較例の場合には、継手管１４２の長さは分岐部１４６の長さに制約されやすい。
【００３３】
本実施形態においては、吐水ヘッド１０６の内管１２８は回転部１０４との接続に関与するが、外殻１２６は直接的には関与しない。したがって、接続負荷が外殻１２６にかかりにくいので、外殻１２６の材質を比較的自由に選ぶことができる。たとえば、外殻１２６は、真鍮やステンレス等の金属製でもよいが、ＡＢＳ樹脂やポリアセタール等の樹脂材によって形成し、これをメッキ加工してもよい。外殻１２６を軽量化できれば、取り換え式の吐水ヘッド１０６を持ち運びやすいし、より安全である。
【００３４】
図８は、浄水機能のない吐水ヘッド１０６の断面図である。図９は、吐水ヘッド１０６を水栓本体部１１２に取り付けた水栓１００ａの断面図である。
上述のように、吐水ヘッド１０６は、内管１２８と外殻１２６の二重構造となっており、内管１２８はＯリング１５４を挟んで吐水口部材１３０に接続される。そして、吐水口部材１３０の出口は整流部材１３２によってキャップされる。整流部材１３２は、内管１２８からの流水を整流して泡沫水に変える。吐水ヘッド１０６の端部およびそこに接続される緩衝部材１３４の当接面１３６は、回転部１０４の外周形状に合わせた曲面として形成される（図８参照）。いいかえれば、吐水ヘッド１０６の当接面の形状と回転部１０４の曲面形状は一致する。ここでいう「一致」とは、吐水ヘッド１０６と回転部１０４の対向部分（接合部分）に大きな隙間、たとえば、１．０ミリメートル以上の隙間が生じない程度に吐水ヘッド１０６の当接面の形状を回転部１０４の曲面形状に近づけることをいう。
【００３５】
継手管１１８の内部には筒状部材１７２がねじ込まれており、内管１２８と筒状部材１７２との間をＯリング１５２で止水している。通水口１２４と筒状部材１７２の間は別のＯリング１５５により止水される。内管１２８に継手管１１８が挿入され、吐水ヘッド１０６は緩衝部材１３４を介して回転部１０４と当接する。継手管１１８と内管１２８の間にも別のＯリング１５０が嵌入され、がたつきを防止している。内管１２８に継手管１１８が挿入されたあと、留め具１２０が継手管１１８を把持することで、吐水ヘッド１０６は継手管１１８にしっかりと固定される。
【００３６】
図１０は、浄水機能を有する吐水ヘッド１４８の断面図である。図１１は、吐水ヘッド１４８を水栓本体部１１２に取り付けた水栓１００ｂの断面図である。
浄水機能を有する吐水ヘッド１４８も、内管１７０と外殻１６４の二重構造を有し、先端には吐水部材１６０が取り付けられる。吐水部材１６０に設けられる浄水ハンドル１６２は、原水と浄水を切り替えるための操作部材である。吐水ヘッド１４８の端部およびそこに嵌められる緩衝部材１３４の当接面１３６も、回転部１０４の外周形状に合わせた曲面として形成される（図１０参照）。
【００３７】
内管１７０はカートリッジ保持部１５６と嵌合し、内管１７０に継手管１１８が挿入される。内管１７０とカートリッジ保持部１５６の間にはＯリング１６６が挿入される。カートリッジ保持部１５６はまた、浄水カートリッジ１５８を内蔵し、吐水部材１６０を外せば浄水カートリッジ１５８は交換可能である。カートリッジ保持部１５６の内部には弁１６８がある。浄水カートリッジ１５８をセットするときには、浄水カートリッジ１５８が弁１６８を押し出し、内管１７０とカートリッジ保持部１５６（浄水カートリッジ１５８）は連通する。一方、浄水カートリッジ１５８が取り外されたときには、内管１７０内の水圧で弁１６８は閉じられる。弁１６８は、通水状態のまま浄水カートリッジ１５８を取り外した時に、内管１７０の中の水をそのまま吐水ヘッド１４８の先端から噴射させないための安全装置である。
【００３８】
以上、実施形態に基づいて、水栓１００の構造、特に、吐水ヘッド１０６，１４８と、水栓本体部１１２との接続構造を中心として説明した。
本実施形態によれば、吐水ヘッド１０６，１４８を水栓本体部１１２に簡単な作業で着脱可能である。また、吐水ヘッド１０６，１４８の外殻１２６，１６４のサイズを比較的自由に設定できる。吐水ヘッド１０６，１４８と水栓本体部１１２の境界面１０５が目立たないため、取替式でありながらすっきりとしたデザインを維持できる。また、境界面１０５は、回転部分ではないため、回転運動と接続操作が互いに影響しない。
【００３９】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００４０】
本実施形態においては、浄水機能を持たない吐水ヘッド１０６と浄水機能を有する吐水ヘッド１４８の取り替えを想定して説明したが、本発明はこれに限られるものではない。たとえば、シャワー機能を持たない吐水ヘッドとシャワー機能を有する吐水ヘッドを交換してもよいし、ユーザの身体の大きさ（たとえば、大人と子ども）に合わせて長さの異なる吐水ヘッドを用意してもよい。また、腕時計のリストバンドを取り替えて気分を変えるときのように、機能に違いはなくてもデザインが違う吐水ヘッドに取り替えれば、キッチンの雰囲気を気軽に変化させることもできる。
【００４１】
緩衝部材１３４は、内管１２８に接続される必要はなく、外殻１２６に接続されてもよい。また、緩衝部材１３４は、独立した部品である必要はなく、内管１２８または外殻１２６の一部として一体形成されてもよい。
【００４２】
以上の記載から、下記の発明が認識される。
本発明のある態様における水栓は、水栓本体部と、水栓本体部に着脱可能に取り付けられる吐水ヘッドを備える。
水栓本体部は、通水部を有する支柱部と、支柱部に回転可能に取り付けられ、かつ、径方向に突出する継手管を有する回転部を有する。
吐水ヘッドは、継手管を収容した状態で、水栓本体部に取り付けられる。
【００４３】
吐水ヘッドは、回転部の一部として径方向に突出する継手管に接続されるため、吐水ヘッドの回転力をそのまま回転部の回転力として伝えやすくなる。
【００４４】
吐水ヘッドが水栓本体部に取り付けられるとき、吐水ヘッドの端部は回転部の外周面と当接してもよい。
回転部からの継手管の分岐箇所を吐水ヘッドと水栓本体部の接続面とすることができるため、接続部分が目立たず、水栓全体としてのデザインをすっきりさせやすくなる。
【００４５】
回転部の外周面は曲面形状を有してもよい。そして、吐水ヘッドの回転部との対向面の形状は、回転部の曲面形状と一致させてもよい。
回転部の外周面が曲面形状にあるときでも、吐水ヘッドの対向面を同様の形状に加工することで、吐水ヘッドと水栓本体部の接続部分がいっそうめだたなくなる。
【００４６】
吐水ヘッドの端部は緩衝部材によって覆われてもよい。吐水ヘッドは緩衝部材を介して回転部と当接してもよい。
吐水ヘッドの端部が緩衝部材に覆われるため、吐水ヘッドの端部が回転部の表面にあたって回転部が傷つくのを防ぎやすくなる。更に、緩衝部材を吐水ヘッドの外殻よりも弾性率の高いやわらかいものにすれば、吐水ヘッドと水栓本体部の密着性を高めやすくなる。
【００４７】
吐水ヘッドは、通水路を形成する内管が外殻に挿入される構造を有してもよい。そして、内管が継手管を収容してもよい。
外殻は吐水ヘッドと継手管との接続に直接的に関与しないため、外殻に傷がつきにくくなる。また、外殻のデザイン自由度を高めやすくなる。
【００４８】
本発明のある態様における吐水ヘッドは、通水部を有する支柱部と、支柱部に回転可能に取り付けられ、かつ、径方向に突出する継手管を有する回転部と、を有する水栓本体部に接続される。吐水ヘッドの端部は回転部の外周面と当接するまで継手管を収容し、外殻において周方向に延伸する差込口から挿入される留め具によって継手管を把持することにより、水栓本体部に固定される。
【００４９】
吐水ヘッドに継手管を挿抜するとともに留め具を挿抜することで吐水ヘッドを着脱できるため、水栓本体の吐水ヘッドを交換するのが容易となる。また、吐水ヘッドの差込口から留め具を差し込んで継手管を把持させることで、両者の接続力を簡単に強化できる。
【００５０】
本発明の別の態様における吐水ヘッドは、通水部を有する支柱部と、支柱部に回転可能に取り付けられ、かつ、径方向に突出する継手管を有する回転部と、を有する水栓本体部に接続される。吐水ヘッドは、通水路を形成する内管が外殻に挿入される構造を有し、内管が継手管を収容することにより、水栓本体部に接続される。
【００５１】
外殻は吐水ヘッドと継手管との接続に直接的に関与しないため、外殻に傷がつきにくくなる。また、外殻のデザイン自由度を高めやすくなる。
【００５２】
吐水ヘッドの回転部と対向する側の端部は、緩衝材によって覆われてもよい。
【００５３】
本発明のある態様における水栓組立方法は、通水部を有する支柱部と、支柱部に回転可能に取り付けられ、かつ、径方向に突出する継手管を有する回転部と、を有する水栓本体部に対して、吐水ヘッドの端部が回転部の外周面と対向するように、吐水ヘッドに継手管を挿入するステップと、吐水ヘッドの外殻において周方向に延伸する差込口から留め具を挿入し、留め具により継手管を把持するステップと、を備える。
【符号の説明】
【００５４】
１００  水栓、  １０２  吐水ハンドル、  １０４  回転部、  １０６  吐水ヘッド、  １０８  支柱部、  １１０  通水管、  １１２  水栓本体部、  １１８  継手管、  １２０  留め具、  １２２  差込口、  １２６  外殻、  １２８  内管、  １３０  吐水口部材、  １３２  整流部材、  １３４  緩衝部材、  １３６  当接面、  １３８  回転部、  １４０  吐水ヘッド、  １４２  継手管、  １４６  分岐部、  １４８  吐水ヘッド、  １５６  カートリッジ保持部、  １５８  浄水カートリッジ、  １６０  吐水部材、  １６２  浄水ハンドル、  １６４  外殻、  １６８  弁、  １７０  内管、  １７２  筒状部材。
【図１】
2018035673.tif 000003
【図２】
2018035673.tif 000004
【図３】
2018035673.tif 000005
【図４】
2018035673.tif 000006
【図５】
2018035673.tif 000007
【図６】
2018035673.tif 000008
【図７】
2018035673.tif 000009
【図８】
2018035673.tif 000010
【図９】
2018035673.tif 000011
【図１０】
2018035673.tif 000012
【図１１】
2018035673.tif 000013
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
水栓本体部と、前記水栓本体部に着脱可能に取り付けられる吐水ヘッドと、を備え、
前記水栓本体部は、
通水部を有する支柱部と、
前記支柱部の径方向に突出する継手管と、を有し、
前記吐水ヘッドは、前記継手管を収容した状態で、前記水栓本体部に取り付けられることを特徴とする水栓。
【請求項２】
前記吐水ヘッドは留め具により前記継手管に固定されることを特徴とする請求項１に記載の水栓。
【請求項３】
前記吐水ヘッドの下部に周方向に延出する差込口が形成され、前記差込口に前記留め具を挿入することを特徴とする請求項２に記載の水栓。
【請求項４】
水栓本体部に着脱可能に取り付けられる吐水ヘッドであって、前記水栓本体部から突出する継手管を収容するよう前記水栓本体部に接続されることを特徴とする吐水ヘッド。
【請求項５】
前記吐水ヘッドは留め具により前記継手管に固定されることを特徴とする請求項４に記載の吐水ヘッド。
【請求項６】
前記吐水ヘッドの下部に周方向に延出する差込口が形成され、前記差込口に前記留め具を挿入することを特徴とする請求項５に記載の吐水ヘッド。